(57)【要約】【課題】  伝送経路によるＡＤＳＬ信号の位相のずれを補正して正常にデータ通信を行なうことが可能なＡＤＳＬ装置、ＡＤＳＬ伝送システムおよび同期方法を提供する。【解決手段】  雑音測定回路６２は、上り方向のＡＤＳＬ信号に混入した漏話雑音信号の時間的変化を測定する。位相差検出回路６３は、ＴＴＲ信号と漏話雑音信号の位相差を検出する。位相補正回路６４は、検出された位相差（遅延量φ）の分だけＴＴＲ信号の位相を進めた信号を基準同期信号として出力する。送信回路６５は、基準同期信号に同期して、下り方向のＡＤＳＬ信号を送信する。したがって、ＡＤＳＬモデム３２が受信するＡＤＳＬ信号とＴＴＲ信号の位相が揃えられる。これにより、光ファイバ化された伝送経路によるＡＤＳＬ信号の位相のずれが補正され、正常にデータ通信を行なうこと可能になる。【選択図】        図３
2006303948.tif 000002
【特許請求の範囲】
【請求項１】
アネックスＣ方式に従ってＡＤＳＬ信号の送受信を行なうＡＤＳＬ装置であって、
所定の周波数を有する基準クロック信号を生成する信号発生器、
相手側のＡＤＳＬ装置からのＡＤＳＬ信号を受信する受信回路、
前記受信回路によって受信されたＡＤＳＬ信号に混入した漏話雑音信号の時間的変化を測定する雑音測定回路、
前記雑音測定回路による測定結果に基づいて、前記基準クロック信号と前記漏話雑音信号の位相差を検出する位相差検出回路、
前記位相差検出回路によって検出された位相差の分だけ、前記基準クロック信号の位相を進めた基準同期信号を出力する位相補正回路、および
前記位相補正回路からの前記基準同期信号に同期して、前記相手側のＡＤＳＬ装置へＡＤＳＬ信号を送信する送信回路を備える、ＡＤＳＬ装置。
【請求項２】
アネックスＣ方式に従ってＡＤＳＬ信号の授受を行なう局側装置と加入者側装置の間のメタリックケーブル伝送経路の一部区間が光ファイバ化されたＡＤＳＬ伝送システムにおいて、
前記局側装置は、
所定の周波数を有する基準クロック信号を生成する信号発生器、
前記加入者側装置からのＡＤＳＬ信号を受信する受信回路、
前記受信回路によって受信されたＡＤＳＬ信号に混入した漏話雑音信号の時間的変化を測定する雑音測定回路、
前記雑音測定回路による測定結果に基づいて、前記基準クロック信号と前記漏話雑音信号の位相差を検出する位相差検出回路、
前記位相差検出回路によって検出された前記位相差の分だけ、前記基準クロック信号の位相を進めた基準同期信号を出力する位相補正回路、および
前記位相補正回路のからの前記基準同期信号に同期して、前記加入者側装置へＡＤＳＬ信号を送信する送信回路を備える、ＡＤＳＬ伝送システム。
【請求項３】
所定の周波数を有する基準クロック信号を生成する信号発生器を備え、アネックスＣ方式に従ってＡＤＳＬ信号の送受信を行なうＡＤＳＬ装置における同期方法であって、
相手側のＡＤＳＬ装置から受信したＡＤＳＬ信号に混入した漏話雑音信号の時間的変化を測定する第１のステップ、
前記第１のステップによる測定結果に基づいて、前記基準クロック信号と前記漏話雑音信号の位相差を検出する第２のステップ、
前記第２のステップによって検出された位相差の分だけ、前記基準クロック信号の位相を進めた基準同期信号を生成する第３のステップ、および
前記第３のステップによって生成された前記基準同期信号に同期して、ＡＤＳＬ信号を送信する第４のステップを備える、同期方法。
【発明の詳細な説明】
【技術分野】
【０００１】
この発明は、ＡＤＳＬ装置、ＡＤＳＬ伝送システムおよび同期方法に関し、特に、アネックスＣ方式に従ってＡＤＳＬ信号の送受信を行なうＡＤＳＬ装置、アネックスＣ方式に従ってＡＤＳＬ信号の授受を行なう局側装置と加入者側装置の間のメタリックケーブル伝送経路の一部区間が光ファイバ化されたＡＤＳＬ伝送システム、および所定の周波数を有する基準クロック信号を生成する信号発生器を備え、アネックスＣ方式に従ってＡＤＳＬ信号の送受信を行なうＡＤＳＬ装置における同期方法に関する。
【背景技術】
【０００２】
既存のメタリックケーブル（電話回線）を利用してデータ通信を行なうｘＤＳＬ（x Digital Subscriber Line：デジタル加入者線）方式では、局側のｘＤＳＬモデムと加入者側のｘＤＳＬモデムとの間で高速通信を実現する。ＡＤＳＬ（Asymmetric DSL：非対称デジタル加入者線）方式は、加入者側から見た上り（送信）方向と下り（受信）方向の通信速度が異なる非対称型の伝送方式である。
【０００３】
図７は、従来のＡＤＳＬ伝送システムの概略構成を示すブロック図である。図７において、このＡＤＳＬ伝送システムは、電話局１０１と、ＡＤＳＬ加入者宅１０２，１０３と、ＩＳＤＮ（Integrated Services Digital Network）加入者宅１０４とを備える。電話局１０１と複数の加入者宅１０２〜１０４とは、メタリックケーブルで接続される。このメタリックケーブルは、地下に敷設される部分と、地上の電柱に沿って空中にかけわたされる架空部分とがある。
【０００４】
電話局１０１は、ＡＤＳＬモデム１１１，１１２と、ＩＳＤＮ交換機１１３と、電話交換機１１４と、スプリッタ１１５，１１６と、ＴＴＲ（TCM-ISDN Timing Reference）信号発生器１１７とを含む。ＡＤＳＬモデム１１１，１１２は、それぞれＩＳＰ（Internet Service Provider）網に接続され、ＡＤＳＬ信号の変調および復調を行なう。これらのＡＤＳＬモデム１１１，１１２は、それぞれ複数のモデムが収容されたＤＳＬＡＭ（Digital Subscriber Line Access Multiplexer：ＤＳＬ集合型装置）を構成する。ＩＳＤＮ交換機１１３は、電話網およびＩＳＰ網に接続され、ＩＳＤＮ信号の変調および復調を行なう。電話交換機１１４は、電話網に接続され、通話回線の交換接続を行なう。スプリッタ１１５，１１６は、それぞれ低周波数帯域のＰＯＴＳ（Plain Old Telephone Service）信号と高周波数帯域のＡＤＳＬ信号の分離および多重を行なう。ＡＤＳＬモデム１１１とスプリッタ１１５との間、およびＡＤＳＬモデム１１２とスプリッタ１１６との間では、ＡＤＳＬ信号が授受される。スプリッタ１１５，１１６と電話交換機１１４との間では、ＰＯＴＳ信号が授受される。
【０００５】
ＴＴＲ信号発生器１１７は、基準クロック信号として４００Ｈｚ（２．５ｍｓ周期）のＴＴＲ信号を生成する。ＩＳＤＮ交換機１１３およびＡＤＳＬモデム１１１，１１２は、それぞれＴＴＲ信号発生器１１７からのＴＴＲ信号に同期して動作する。
【０００６】
ＡＤＳＬ加入者宅１０２は、スプリッタ１２１と、ＡＤＳＬモデム１２２と、パソコン（ＰＣ）１２３と、電話機１２４とを含む。スプリッタ１２１は、メタリックケーブル介して電話局１０１のスプリッタ１１５と接続され、低周波数帯域のＰＯＴＳ信号と高周波数帯域のＡＤＳＬ信号の分離および多重を行なう。スプリッタ１２１とスプリッタ１１５との間では、ＡＤＳＬ信号およびＰＯＴＳ信号が多重された信号が授受される。電話機１２４とスプリッタ１２１との間では、ＰＯＴＳ信号が授受される。ＡＤＳＬモデム１２２とスプリッタ１２１との間では、ＡＤＳＬ信号が授受される。ＡＤＳＬモデム１２２は、ＡＤＳＬ信号の変調および復調を行なう。このＡＤＳＬモデム１２２は、パソコン１２３に接続される。
【０００７】
ＡＤＳＬ加入者宅１０３は、スプリッタ１３１と、ＡＤＳＬモデム１３２と、パソコン（ＰＣ）１３３と、電話機１３４とを含む。スプリッタ１３１は、メタリックケーブルを介して電話局１０１のスプリッタ１１６と接続され、低周波数帯域のＰＯＴＳ信号と高周波数帯域のＡＤＳＬ信号の分離および多重を行なう。スプリッタ１３１とスプリッタ１１６との間では、ＡＤＳＬ信号およびＰＯＴＳ信号が多重された信号が授受される。電話機１３４とスプリッタ１３１との間では、ＰＯＴＳ信号が授受される。ＡＤＳＬモデム１３２とスプリッタ１３１との間では、ＡＤＳＬ信号が授受される。ＡＤＳＬモデム１３２は、ＡＤＳＬ信号の変調および復調を行なう。このＡＤＳＬモデム１３２は、パソコン１３３に接続される。
【０００８】
ＩＳＤＮ加入者宅１０４は、ターミナルアダプタ（ＴＡ）と１４１と、パソコン１４２と、電話機１４３とを含む。ターミナルアダプタ１４１は、メタリックケーブルを介して電話局１０１のＩＳＤＮ交換機１１３と接続される。ターミナルアダプタ１４１とＩＳＤＮ交換機１１３との間ではＩＳＤＮ信号が授受される。ターミナルアダプタ１４１と電話機１４３との間では音声信号が授受され、ターミナルアダプタ１４１とパソコン１４２との間ではインターネットデータが授受される。
【０００９】
通常、電話局１０１と加入者宅１０２〜１０４とを接続するメタリックケーブルは、複数の電話回線が束ねられたものである。このため、隣接する回線から信号が漏込む漏話（クロストーク）という現象が問題となる。特に、日本で用いられているＴＣＭ（Time Compression Multiplexing）−ＩＳＤＮ回線から受ける漏話雑音は、高レベルの近端漏話（ＮＥＸＴ）雑音と低レベルの遠端漏話（ＦＥＸＴ）雑音とが周期的に交互に現れるという特徴を有する。
【００１０】
そこで、ＴＣＭ−ＩＳＤＮが普及している日本向けに規格化された通信方式として「Annex C（アネックスＣ）」方式がある。この「Annex C」に準拠するＡＤＳＬ方式では、近端漏話（ＮＥＸＴ）に対応するＮＥＸＴビットマップと、遠端漏話（ＦＥＸＴ）対応するＦＥＸＴビットマップとを用意する。そして、データ通信時にこの２つのビットマップを交互に切換えて使用する。これにより、隣接するＴＣＭ−ＩＳＤＮ回線との干渉が緩和される。
【００１１】
図８は、図７に示した観測点Ｐ１１において観測されるＩＳＤＮ信号およびＡＤＳＬ信号の位相を示すタイムチャートである。図８を参照して、ＴＣＭ−ＩＳＤＮ方式で動作するＩＳＤＮ交換機１１３、および「Annex C」に準拠するＡＤＳＬ方式で動作するＡＤＳＬモデム１１１，１１２は、それぞれＴＴＲ信号発生器１１７からのＴＴＲ信号に同期して動作するため、ＴＴＲ信号、ＩＳＤＮ信号およびＡＤＳＬ信号はすべて位相が揃っている。
【００１２】
下記の特許文献１には、雑音強度変化の周期に同期してデータ伝送速度を制御することができる通信装置が開示されている。これによると、受信側において雑音強度の時間的変化を観測し、雑音強度の時間的周期性を解析してデータ伝送速度を制御し、ＳＮ比の高い時間に多量のデータを送るようにしている。
【００１３】
また、下記の特許文献２には、漏話雑音レベルの高い時間のデータ送受信を停止し、漏話雑音レベルの低い時間にだけデータ送受信を行なうことにより、データを効率よく伝送する通信装置が開示されている。
【特許文献１】特開平１１−１６８５１５号公報
【特許文献２】特開平１１−１３６３０７号公報
【発明の開示】
【発明が解決しようとする課題】
【００１４】
しかしながら、メタリックケーブルの地下に敷設されている部分は、一般に老朽化が進みやすく、また保守費用が高いため、光ファイバへの置換え作業（または置換え作業の検討）が進められている。
【００１５】
ＡＤＳＬ伝送システムにおいて、メタリックケーブル伝送経路の一部区間を光ファイバ化する際、光ファイバの両端に光電変換装置を設ける。この場合、光ファイバ化された伝送経路（光電変換装置および光ファイバを含む経路）においてＡＤＳＬ信号が遅延するため、データ通信が正常に行なえないことがあった。
【００１６】
それゆえに、この発明の主たる目的は、伝送経路によるＡＤＳＬ信号の位相のずれを補正して正常にデータ通信を行なうことが可能なＡＤＳＬ装置、ＡＤＳＬ伝送システムおよび同期方法を提供することである。
【課題を解決するための手段】
【００１７】
この発明に係わるＡＤＳＬ装置は、アネックスＣ方式に従ってＡＤＳＬ信号の送受信を行なうＡＤＳＬ装置であって、所定の周波数を有する基準クロック信号を生成する信号発生器と、相手側のＡＤＳＬ装置からのＡＤＳＬ信号を受信する受信回路と、受信回路によって受信されたＡＤＳＬ信号に混入した漏話雑音信号の時間的変化を測定する雑音測定回路と、雑音測定回路による測定結果に基づいて、基準クロック信号と漏話雑音信号の位相差を検出する位相差検出回路と、位相差検出回路によって検出された位相差の分だけ、基準クロック信号の位相を進めた基準同期信号を出力する位相補正回路と、位相補正回路からの基準同期信号に同期して、相手側のＡＤＳＬ装置へＡＤＳＬ信号を送信する送信回路とを備えたものである。
【００１８】
この発明に係わるＡＤＳＬ伝送システムは、アネックスＣ方式に従ってＡＤＳＬ信号の授受を行なう局側装置と加入者側装置の間のメタリックケーブル伝送経路の一部区間が光ファイバ化されたＡＤＳＬ伝送システムにおいて、局側装置は、所定の周波数を有する基準クロック信号を生成する信号発生器と、加入者側装置からのＡＤＳＬ信号を受信する受信回路と、受信回路によって受信されたＡＤＳＬ信号に混入した漏話雑音信号の時間的変化を測定する雑音測定回路と、雑音測定回路による測定結果に基づいて、基準クロック信号と漏話雑音信号の位相差を検出する位相差検出回路と、位相差検出回路によって検出された位相差の分だけ、基準クロック信号の位相を進めた基準同期信号を出力する位相補正回路と、位相補正回路のからの基準同期信号に同期して、加入者側装置へＡＤＳＬ信号を送信する送信回路とを備えたものである。
【００１９】
この発明に係わる同期方法は、所定の周波数を有する基準クロック信号を生成する信号発生器を備え、アネックスＣ方式に従ってＡＤＳＬ信号の送受信を行なうＡＤＳＬ装置における同期方法であって、相手側のＡＤＳＬ装置から受信したＡＤＳＬ信号に混入した漏話雑音信号の時間的変化を測定する第１のステップと、第１のステップによる測定結果に基づいて、基準クロック信号と漏話雑音信号の位相差を検出する第２のステップと、第２のステップによって検出された位相差の分だけ、基準クロック信号の位相を進めた基準同期信号を生成する第３のステップと、第３のステップによって生成された基準同期信号に同期して、ＡＤＳＬ信号を送信する第４のステップとを備えたものである。
【発明の効果】
【００２０】
この発明に係わるＡＤＳＬ装置では、所定の周波数を有する基準クロック信号を生成する信号発生器と、相手側のＡＤＳＬ装置からのＡＤＳＬ信号を受信する受信回路と、受信回路によって受信されたＡＤＳＬ信号に混入した漏話雑音信号の時間的変化を測定する雑音測定回路と、雑音測定回路による測定結果に基づいて、基準クロック信号と漏話雑音信号の位相差を検出する位相差検出回路と、位相差検出回路によって検出された位相差の分だけ、基準クロック信号の位相を進めた基準同期信号を出力する位相補正回路と、位相補正回路からの基準同期信号に同期して、相手側のＡＤＳＬ装置へＡＤＳＬ信号を送信する送信回路とが設けられる。したがって、相手側のＡＤＳＬ装置が受信するＡＤＳＬ信号と基準クロック信号の位相が揃えられる。これにより、伝送経路によるＡＤＳＬ信号の位相のずれが補正され、正常にデータ通信を行なうことが可能となる。
【００２１】
この発明に係わるＡＤＳＬ伝送システムにおいて、局側装置には、所定の周波数を有する基準クロック信号を生成する信号発生器と、加入者側装置からのＡＤＳＬ信号を受信する受信回路と、受信回路によって受信されたＡＤＳＬ信号に混入した漏話雑音信号の時間的変化を測定する雑音測定回路と、雑音測定回路による測定結果に基づいて、基準クロック信号と漏話雑音信号の位相差を検出する位相差検出回路と、位相差検出回路によって検出された位相差の分だけ、基準クロック信号の位相を進めた基準同期信号を出力する位相補正回路と、位相補正回路のからの基準同期信号に同期して、加入者側装置へＡＤＳＬ信号を送信する送信回路とが設けられる。したがって、加入者側装置が受信するＡＤＳＬ信号と基準クロック信号の位相が揃えられる。これにより、メタリックケーブル伝送経路の一部区間が光ファイバ化されたＡＤＳＬ伝送システムにおいて、光ファイバ化された伝送経路によるＡＤＳＬ信号の位相のずれが補正され、正常にデータ通信を行なうことが可能になる。
【００２２】
この発明に係わる同期方法は、相手側のＡＤＳＬ装置から受信したＡＤＳＬ信号に混入した漏話雑音信号の時間的変化を測定する第１のステップと、第１のステップによる測定結果に基づいて、基準クロック信号と漏話雑音信号の位相差を検出する第２のステップと、第２のステップによって検出された位相差の分だけ、基準クロック信号の位相を進めた基準同期信号を生成する第３のステップと、第３のステップによって生成された基準同期信号に同期して、ＡＤＳＬ信号を送信する第４のステップとを含む。したがって、相手側のＡＤＳＬ装置が受信するＡＤＳＬ信号と基準クロック信号の位相が揃えられる。これにより、伝送経路によるＡＤＳＬ信号の位相のずれが補正され、正常にデータ通信を行なうことが可能となる。
【発明を実施するための最良の形態】
【００２３】
図１は、この発明の一実施の形態によるメタリックケーブル伝送経路の一部区間が光ファイバ化されたＡＤＳＬ伝送システムの概略構成を示すブロック図である。図１において、このＡＤＳＬ伝送システムは、電話局１と、リモートターミナル２と、ＡＤＳＬ加入者宅３，４と、ＩＳＤＮ加入者宅５とを備える。リモートターミナル２は、たとえば電柱やビル内に設置される。電話局１とリモートターミナル２とは光ファイバで接続され、この光ファイバは地下に敷設される。リモートターミナル２と複数の加入者宅３〜５とはメタリックケーブルで接続され、このメタリックケーブル（架空）はたとえば地上の電柱に沿って空中にかけわたされる。
【００２４】
電話局１は、ＡＤＳＬモデム１１，１２と、ＩＳＤＮ交換機１３と、電話交換機１４と、集線分配器１５と、光電変換装置１６と、ＴＴＲ信号発生器１７とを含む。ＡＤＳＬモデム１１，１２は、それぞれＩＳＰ網に接続され、ＡＤＳＬ信号の変調および復調を行なう。これらのＡＤＳＬモデム１１，１２は、それぞれ複数のモデムが収容されたＤＳＬＡＭを構成する。ＩＳＤＮ交換機１３は、電話網およびＩＳＰ網に接続され、ＩＳＤＮ信号の変調および復調を行なう。電話交換機１４は、電話網に接続され、通話回線の交換接続を行なう。集線分配器１５は、ＩＳＤＮ交換機１３からのＩＳＤＮ信号と電話交換機１４からのＰＯＴＳ信号を多重して、光ファイバを介してリモートターミナル２に与える。また、リモートターミナルからのＩＳＤＮ信号およびＰＯＴＳ信号を分離して、ＩＳＤＮ信号をＩＳＤＮ交換機１３に与え、ＰＯＴＳ信号を電話交換機１４に与える。光電変換装置１６は、ＡＤＳＬモデム１１，１２からＡＤＳＬ信号（電気信号）を受け、電気／光変換して光ファイバを介してリモートターミナル２に与えるとともに、リモートターミナル２から光ファイバを介してＡＤＳＬ信号（光信号）を受け、光／電気変換してＡＤＳＬモデム１１，１２に与える。
【００２５】
ＴＴＲ信号発生器１７は、基準クロック信号として４００Ｈｚ（２．５ｍｓ周期）のＴＴＲ信号を生成する。ＴＣＭ−ＩＳＤＮ方式で動作するＩＳＤＮ交換機１３は、ＴＴＲ信号発生器１７からのＴＴＲ信号に同期して動作する。「Annex C」に準拠するＡＤＳＬ方式で動作するＡＤＳＬモデム１１，１２は、それぞれＴＴＲ信号発生器１７からのＴＴＲ信号に基づいて、その動作タイミングが制御される。
【００２６】
リモートターミナル２は、集線分配器２１と、光電変換装置２２と、スプリッタ２３，２４とを含む。集線分配器２１は、電話局１の集線分配器１５からのＩＳＤＮ信号およびＰＯＴＳ信号を分離して、メタリックケーブル（架空）を介してＩＳＤＮ信号をＩＳＤＮ加入者宅５に与え、ＰＯＴＳ信号をスプリッタ２３，２４に与える。また、ＩＳＤＮ加入者宅５からのＩＳＤＮ信号とスプリッタ２３，２４からのＰＯＴＳ信号を多重して電話局１の集線分配器１５に与える。光電変換装置２２は、電話局１の光電変換装置１６から光ファイバを介してＡＤＳＬ信号（光信号）を受け、光／電気変換してスプリッタ２３，２４に与える。また、スプリッタ２３，２４からＡＤＳＬ信号（電気信号）を受け、電気／光変換して光ファイバを介して電話局１の光電変換装置１６に与える。スプリッタ２３，２４は、それぞれ低周波数帯域のＰＯＴＳ信号と高周波数帯域のＡＤＳＬ信号の分離および多重を行なう。スプリッタ２３，２４と集線分配器２１との間ではＰＯＴＳ信号が授受され、スプリッタ２３，２４と光電変換装置２２との間ではＡＤＳＬ信号が授受される。
【００２７】
ＡＤＳＬ加入者宅３は、スプリッタ３１と、ＡＤＳＬモデム３２と、パソコン（ＰＣ）３３と、電話機３４とを含む。スプリッタ３１は、メタリックケーブル（架空）を介してリモートターミナル２のスプリッタ２３と接続され、低周波数帯域のＰＯＴＳ信号と高周波数帯域のＡＤＳＬ信号の分離および多重を行なう。スプリッタ３１とスプリッタ２３との間では、ＡＤＳＬ信号およびＰＯＴＳ信号が多重された信号が授受される。電話機３４とスプリッタ３１との間では、ＰＯＴＳ信号が授受される。ＡＤＳＬモデム３２とスプリッタ３１との間では、ＡＤＳＬ信号が授受される。ＡＤＳＬモデム３２は、ＡＤＳＬ信号の変調および復調を行なう。このＡＤＳＬモデム３２は、パソコン３３に接続される。
【００２８】
ＡＤＳＬ加入者宅４は、スプリッタ４１と、ＡＤＳＬモデム４２と、パソコン４３と、電話機４４とを含む。スプリッタ４１は、メタリックケーブルを介してリモートターミナル２のスプリッタ２４と接続され、低周波数帯域のＰＯＴＳ信号と高周波数帯域のＡＤＳＬ信号の分離および多重を行なう。スプリッタ４１とスプリッタ２４との間では、ＡＤＳＬ信号およびＰＯＴＳ信号が多重された信号が授受される。電話機４４とスプリッタ４１との間では、ＰＯＴＳ信号が授受される。ＡＤＳＬモデム４２とスプリッタ４１との間では、ＡＤＳＬ信号が授受される。ＡＤＳＬモデム４２は、ＡＤＳＬ信号の変調および復調を行なう。ＡＤＳＬモデム４２は、このパソコン４３に接続される。
【００２９】
ＩＳＤＮ加入者宅５は、ターミナルアダプタ（ＴＡ）と５１と、パソコン５２と、電話機５３とを含む。ターミナルアダプタ５１は、メタリックケーブル（架空）を介してリモートターミナル２の集線分配器２１と接続される。ターミナルアダプタ５１と集線分配器２１との間ではＩＳＤＮ信号が授受される。ターミナルアダプタ５１と電話機５３との間では音声信号が授受され、ターミナルアダプタ５１とパソコン５２との間ではインターネットデータが授受される。
【００３０】
このように、メタリックケーブル伝送経路の一部区間が光ファイバ化されたＡＤＳＬ伝送システムにおいては、光ファイバ化された伝送経路（光電変換装置１６，２２および光ファイバを含む経路）においてＡＤＳＬ信号が遅延してしまう。このＡＤＳＬ信号の位相のずれを補正しなければ、正常にデータ通信を行なえないことがある。
【００３１】
図２は、ＡＤＳＬ信号の位相のずれを補正しなかった場合に、図１に示した観測点Ｐ１において観測されるＩＳＤＮ信号およびＡＤＳＬ信号の位相を示すタイムチャートである。図２において、ＩＳＤＮ加入者宅５への下り方向のＩＳＤＮ信号は、ＴＴＲ信号と位相が揃っている。一方、ＡＤＳＬ加入者宅３への下り方向のＡＤＳＬ信号は、光ファイバ化された伝送経路によって遅延され、ＴＴＲ信号よりも位相が遅れてしまう（遅延量φ）。このようにＡＤＳＬ信号の位相がずれると、データ通信が正常に行えないことがある。このため、観測点Ｐ１におけるＡＤＳＬ信号とＴＴＲ信号の位相が揃うように、ＡＤＳＬ信号の位相のずれを補正する必要がある。そこで、この一実施の形態では、ＡＤＳＬモデム１１にＡＤＳＬ信号の位相のずれを補正するための回路を設ける。
【００３２】
図３は、図１に示した電話局１のＡＤＳＬモデム１１およびＡＤＳＬ加入者宅３のＡＤＳＬモデム３２の構成を示すブロック図である。図３において、ＡＤＳＬモデム１１は、受信回路６１と、雑音測定回路６２と、位相差検出回路６３と、位相補正回路６４と、送信回路６５とを含む。ＡＤＳＬモデム３２は、受信回路７１と、送信回路７２とを含む。
【００３３】
ＡＤＳＬモデム３２の送信回路７２は、加入者側から局側への上り方向のＡＤＳＬ信号を送信する。ＡＤＳＬモデム１１の受信回路６１は、送信回路７２からの上り方向のＡＤＳＬ信号を受信する。雑音測定回路６２は、受信回路６１によって受信された上り方向のＡＤＳＬ信号に混入した漏話雑音信号の時間的変化を測定し、雑音レベルの周期性を解析する。位相差検出回路６３は、雑音測定回路６３による測定結果に基づいて、光ファイバ化された伝送経路によるＡＤＳＬ信号の位相のずれを検出する。
【００３４】
図４は、図３に示した雑音測定回路６２および位相差検出回路６３の動作について説明するためのタイムチャートである。図１に示したリモートターミナル２とＩＳＤＮ加入者宅５およびＡＤＳＬ加入者宅３とを接続するメタリックケーブル（架空）において、隣接する回線から信号が漏込む漏和雑音の影響を受ける。
【００３５】
図４において、時刻ｔ０から時刻ｔ２までのＮＥＸＴ期間において、電話局１のＩＳＤＮ交換機１３からＩＳＤＮ加入者宅５への下り方向のＩＳＤＮ信号が伝送される。次いで、時刻ｔ２から時刻ｔ４までのＦＥＸＴ期間において、ＩＳＤＮ加入者宅５から電話局１のＩＳＤＮ交換機１３への上り方向のＩＳＤＮ信号が伝送される。このように、ＴＣＭ−ＩＳＤＮ方式を用いた伝送システムは、４００Ｈｚ（２．５ｍｓ周期）の基準クロック信号ＴＴＲに同期して動作する。
【００３６】
図１に示したメタリックケーブル（架空）において、互いに隣接するＴＣＭ−ＩＳＤＮ回線からＡＤＳＬ回線へ漏話雑音が混入する。雑音測定回路６２は、漏話雑音信号の時間的変化を測定し、雑音レベルの周期性を解析する。時刻ｔ１から時刻ｔ３までの期間において、下り方向のＩＳＤＮ信号がＡＤＳＬモデム１１に近端漏話雑音（ＮＥＸＴ）として混入する。また、時刻ｔ３からから時刻ｔ５までの期間において、上り方向のＩＳＤＮ信号がＡＤＳＬモデム１１に遠端漏話雑音（ＦＥＸＴ）として混入する。
【００３７】
このように、ＴＣＭ−ＩＳＤＮ回線からの漏話雑音は、高レベルの近端漏話雑音（ＮＥＸＴ）を受けるＮＥＸＴ期間と低レベルの遠端漏話（ＦＥＸＴ）雑音を受けるＦＥＸＴ期間とが周期的に交互に現れる。また、このＴＣＭ−ＩＳＤＮ回線からの漏話雑音は、光ファイバ化された伝送経路によって遅延するため、ＴＴＲ信号よりも位相が遅れる（遅延量φ）。
【００３８】
位相差検出回路６３は、ＴＴＲ信号発生器１７からのＴＴＲ信号と雑音測定回路６３によって測定された漏話雑音信号の位相を比較し、ＴＴＲ信号と漏話雑音信号の位相差を検出する。ここで、ＴＣＭ−ＩＳＤＮ回線からの漏話雑音の遅延量φは、ＡＤＳＬモデム１１からＡＤＳＬ加入者宅３への下り方向のＡＤＳＬ信号の遅延量φと等しい。したがって、位相差検出回路６３によって、光ファイバ化された伝送経路によるＡＤＳＬ信号の位相のずれが検出される。
【００３９】
図３に戻って、位相補正回路６４は、位相差検出回路６３によって検出された位相差（遅延量φ）の分だけ、ＴＴＲ信号発生器１７からのＴＴＲ信号の位相を進めた信号を基準同期信号として出力する。送信回路６５は、位相補正回路６４からの基準同期信号に同期して、下り方向のＡＤＳＬ信号を送信する。
【００４０】
図５は、図１に示した観測点Ｐ２において観測されるＡＤＳＬ信号の位相を示すタイムチャートである。図５を参照して、ＡＤＳＬモデム１１の送信回路６５から送信されるＡＤＳＬ信号は、ＴＴＲ信号よりも遅延量φだけ位相が進んでいる。
【００４１】
再び図３に戻って、送信回路６５から送信されたＡＤＳＬ信号は、光ファイバ化された伝送経路によって遅延する（遅延量φ）。このため、受信回路７１が受信するＡＤＳＬ信号は、ＴＴＲ信号と位相が揃う。
【００４２】
図６は、ＡＤＳＬ信号の位相のずれを補正した場合に、図１に示した観測点Ｐ１において観測されるＩＳＤＮ信号およびＡＤＳＬ信号の位相を示すタイムチャートである。このように、観測点Ｐ１において、ＴＴＲ信号、ＩＳＤＮ信号およびＡＤＳＬ信号は、すべて位相が揃っている。したがって、「Annex C」に準拠するＡＤＳＬ方式によるデータ通信を正常に行うことが可能になる。
【００４３】
以上のように、この一実施の形態では、ＴＴＲ信号と漏話雑音信号の位相差を検出し、検出された位相差（遅延量φ）の分だけＡＤＳＬ信号の位相を進めて送信する。これにより、ＡＤＳＬ加入者宅３が受信するＡＤＳＬ信号とＴＴＲ信号の位相が揃えられる。したがって、メタリックケーブル伝送経路の一部区間が光ファイバ化されたＡＤＳＬ伝送システムにおいて、光ファイバ化された伝送経路によるＡＤＳＬ信号の位相のずれを補正して正常にデータ通信を行なうことが可能になる。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４５】
【図１】この発明の一実施の形態によるメタリックケーブル伝送経路の一部区間が光ファイバ化されたＡＤＳＬ伝送システムの概略構成を示すブロック図である。
【図２】ＡＤＳＬ信号の位相のずれを補正しなかった場合に、図１に示した観測点Ｐ１において観測されるＩＳＤＮ信号およびＡＤＳＬ信号の位相を示すタイムチャートである。
【図３】図１に示した電話局のＡＤＳＬモデムおよびＡＤＳＬ加入者宅３のＡＤＳＬモデムの構成を示すブロック図である。
【図４】図３に示した雑音測定回路および位相差検出回路の動作について説明するためのタイムチャートである。
【図５】図１に示した観測点Ｐ２において観測されるＡＤＳＬ信号の位相を示すタイムチャートである。
【図６】ＡＤＳＬ信号の位相のずれを補正した場合に、図１に示した観測点Ｐ１において観測されるＩＳＤＮ信号およびＡＤＳＬ信号の位相を示すタイムチャートである。
【図７】従来のＡＤＳＬ伝送システムの概略構成を示すブロック図である。
【図８】図７に示した観測点Ｐ１１において観測されるＩＳＤＮ信号およびＡＤＳＬ信号の位相を示すタイムチャートである。
【符号の説明】
【００４６】
１，１０１  電話局、２  リモートターミナル、３，４，１０２，１０３  ＡＤＳＬ加入者宅、５，１０４  ＩＳＤＮ加入者宅、１１，１２，３２，４２，１１１，１１２，１２２，１３２  ＡＤＳＬモデム、１３，１１３  ＩＳＤＮ交換機、１４，１１４  電話交換機、１５  集線分配器、１６  光電変換装置、１７，１１７  ＴＴＲ信号発生器、３１，４１，１１５，１１６，１２１，１３１  スプリッタ、３３，４３，５２，１２３，１３３，１４２  パソコン、３４，４４，５３，１２４，１３４，１４３  電話機、５１，１４１  ターミナルアダプタ、６１，７１  受信回路、６２  雑音測定回路、６３  位相差検出回路、６４  位相補正回路、６５，７２  送信回路。
【図１】
2006303948.tif 000003
【図２】
2006303948.tif 000004
【図３】
2006303948.tif 000005
【図４】
2006303948.tif 000006
【図５】
2006303948.tif 000007
【図６】
2006303948.tif 000008
【図７】
2006303948.tif 000009
【図８】
2006303948.tif 000010